(57)【要約】【課題】平形ケーブルの端末のシースを剥離しない状態及び剥離した状態のいずれにおいても平形ケーブルの端末に被せることができ、もって、線心の絶縁処理を行なうことのできる平形ケーブル用端末カバーを提供する。【解決手段】絶縁性能を有する材料により形成し、一端に平形ケーブルの端部を受け入れ可能な開口１０が形成され他端が封じられた筒状に形成し、開口１０側に、線心がシースにより覆われている平形ケーブルの端部を受け入れるとともにシースの外面に圧接するシース圧接部１８を有するシース状態受入れ部１６を設け、その奥方に、複数条の線心の端部を個別に受け入れる複数の線心受入れ部１７を設けた。【選択図】図３
2020021675.tif 000002
【特許請求の範囲】
【請求項１】
複数条の線心が並列となるように内部に収められシースにより覆われた平形ケーブルの端末を絶縁する平形ケーブル用端末カバーであって、
絶縁性能を有する材料により形成され、
一端に前記平形ケーブルの端部を受け入れ可能な開口が形成され他端が封じられた筒状を成し、
前記開口側に、前記線心が前記シースにより覆われている前記平形ケーブルの端部を受け入れるとともに前記シースの外面に圧接するシース圧接部を有するシース状態受入れ部が設けられ、その奥方に、前記複数条の線心の端部を個別に受け入れる複数の線心受入れ部が設けられていることを特徴とする平形ケーブル用端末カバー。
【請求項２】
前記シース圧接部は、前記平形ケーブルの軸方向に沿って延びていることを特徴とする請求項１に記載の平形ケーブル用端末カバー。
【請求項３】
前記シース圧接部は、少なくとも、前記線心受入れ部から前記開口側に該線心受入れ部の軸方向の長さより大きく離間した位置に設けられていることを特徴とする請求項１または請求項２に記載の平形ケーブル用端末カバー。
【請求項４】
前記線心受入れ部に、前記線心の外面に圧接する線心圧接部が設けられていることを特徴とする請求項１乃至請求項３のいずれかに記載の平形ケーブル用端末カバー。
【請求項５】
前記シース状態受入れ部及び前記複数の線心受入れ部からなる平形ケーブル受け部が、同一の開口方向及び軸方向にて複数設けられていることを特徴とする請求項１乃至請求項４のいずれかに記載の平形ケーブル用端末カバー。
【発明の詳細な説明】
【技術分野】
【０００１】
本発明は、複数条の線心が並列となるように内部に収められシースにより覆われた平形ケーブルの端末に被せて線心の絶縁処理を行なう平形ケーブル用端末カバーに関する。
【背景技術】
【０００２】
屋内に配線された前記平形ケーブルの端末は、予備として将来の使用に備えられている間、内部の複数の線心同士が接触して短絡するのを防止するために絶縁処理が行なわれている。絶縁処理として、平形ケーブルの端末のシースを一部剥離して露出した各線心に絶縁テープを巻き付ける方法がある。しかし、この方法だとシースを剥離して各線心を露出させ、その後線心毎に絶縁テープを巻き付ける必要があり、大変手間がかかるものであった。
【０００３】
このため、特許文献１では、平形ケーブルの端末のシースを剥がして露出させた複数の線心の全体を覆うように被せられる電気絶縁材料からなる端末キャップが提案されている。特許文献１の端末キャップは、図９に示すように、キャップ本体４１に、平形ケーブル３０の複数の線心３１の各外径より僅かに大きい入口径４３と、各線心３１の外径より僅かに小さい底部径４４と、を有するテーパ付きの円柱状の線心差込み穴４２が、各線心３１に対応するよう並列に穿設されて成る。この構成により、特許文献１の端末キャップ４０では、各線心３１は、各線心差込み穴４２を形成する周囲の絶縁材料によって相互に離隔絶縁される。なお、線心差込み穴４２はテーパ付きのため、線心３１はその外径に見合った深さまで入って絶縁体の弾性と相互作用して摩擦係止し、端末キャップ４０を保持する。
【先行技術文献】
【特許文献】
【０００４】
【特許文献１】実開平３−６６１２０号公報
【発明の概要】
【発明が解決しようとする課題】
【０００５】
しかし、特許文献１の端末キャップ４０は、線心３１毎に絶縁テープを巻き付ける必要はないものの、平形ケーブル３０の端末に取り付けるには、従来の、各線心３１に絶縁テープを巻き付けるものと同様に、シース３４の端末部分を剥離して複数の線心３１を露出させる必要があった。したがって、必ずシース３４の剥離作業は必要であり、依然として端末の絶縁処理には手間を要していた。
【０００６】
そこで、本発明は、平形ケーブルの端末のシースを剥離しない状態及び剥離した状態のいずれにおいても平形ケーブルの端末に被せることができ、もって、線心の絶縁処理を行なうことのできる平形ケーブル用端末カバーの提供を課題とするものである。
【課題を解決するための手段】
【０００７】
請求項１の平形ケーブル用端末カバーは、複数条の線心が並列となるように内部に収められシースにより覆われた平形ケーブルの端末を絶縁するものであって、絶縁性能を有する材料により形成され、一端に前記平形ケーブルの端部を受け入れ可能な開口が形成され他端が封じられた筒状を成し、前記開口側に、前記線心が前記シースにより覆われている前記平形ケーブルの端部を受け入れるとともに前記シースの外面に圧接するシース圧接部を有するシース状態受入れ部が設けられ、その奥方に、前記複数条の線心の端部を個別に受け入れる複数の線心受入れ部が設けられたものである。
【０００８】
請求項２の平形ケーブル用端末カバーは、特に、シース圧接部が、平形ケーブルの軸方向に沿って延びたものである。
請求項３の平形ケーブル用端末カバーは、特に、シース圧接部が、少なくとも、線心受入れ部から開口側に線心受入れ部の軸方向の長さより大きく離間した位置に設けられたものである。
請求項４の平形ケーブル用端末カバーは、特に、線心受入れ部に、線心の外面に圧接する線心圧接部が設けられたものである。
請求項５の平形ケーブル用端末カバーは、特に、シース状態受入れ部及び複数の線心受入れ部からなる平形ケーブル受け部が、同一の開口方向及び軸方向にて複数設けられたものである。
【発明の効果】
【０００９】
本発明は、開口側に、線心がシースにより覆われている平形ケーブルの端部を受け入れるとともにシース圧接部を有するシース状態受入れ部が設けられ、その奥方に、複数の線心の端部を個別に受け入れる複数の線心受入れ部が設けられているので、シーズが剥離されておらず複数の線心がシースによって覆われた状態にある平形ケーブルの場合は、シース状態受入れ部によって線心の絶縁処理を行なうことができるとともに、シースが剥離されて複数の線心が露出した状態にある平形ケーブルの場合は、複数の線心受入れ部が各線心を受け入れ、シース状態受入れ部がシースを受け入れて線心の絶縁処理を行なうことができる。
また、シース状態受入れ部は、シースの外面に圧接するシース圧接部が設けられていることにより、シースの外面とカバーの外面とに絶縁テープで巻き付けるなどの面倒な処理を行なうことなく、端末カバーを平形ケーブルの端末部に抜け止め状態に簡単に取り付けることができる。
【００１０】
加えて、シース圧接部が、平形ケーブルの軸方向に沿って延びたものは、シースの剥離量が大きくても、シースの端末は連続するシース圧接部内のいずれかの箇所に位置する。このため、シースは常にシース圧接部によって圧接されるので、平形ケーブルは端末カバーから抜け外れるのが防止され、安定して保持される。
また、シース圧接部が、少なくとも、線心受入れ部から開口側に線心受入れ部の軸方向の長さより大きく離間した位置に設けられたものは、シースの剥離量が大きくても、シースは、常に少なくとも前記線心受入れ部から開口側に大きく離間した位置でシース圧接部により押圧されるので、平形ケーブルは端末カバーに安定して保持される。
【００１１】
更に、線心受入れ部に、線心の外面に圧接する線心圧接部が設けられたものでは、線心は線心圧接部によって圧接保持される。
そして、シース状態受入れ部及び複数の線心受入れ部からなる平形ケーブル受け部が、同一の開口方向及び軸方向にて複数設けられている場合は、複数の平形ケーブルを同一方向を向いた状態で端末カバー内に整然と収容することができる。
【図面の簡単な説明】
【００１２】
【図１】本発明の実施形態の平形ケーブル用端末カバーの斜視図である。
【図２】図１の端末カバーを示し、(a)は平面図、(b)は正面図、(c)は右側面図である。
【図３】図１の端末カバーを示し、(a)は図２(a)のＡ−Ａ切断線による断面図、(b)は図２(b)のＢ−Ｂ切断線による断面図、(c)は(a)の線心受入れ部の縦断面を斜め上方から見た断面図である。
【図４】本発明の実施形態の平形ケーブルの断面図である。
【図５】図３(b)に示す線心受入れ部に挿入した線心の収容状態を示す断面図である。
【図６】シースを剥離していない平形ケーブルを端末カバーに挿入した状態を示し、(a)は上面部を外して上方から見た断面図、(b)は縦断面図である。
【図７】シースの端部を剥離した平形ケーブルを端末カバーに挿入した状態を示し、(a)は上面部を外して上方から見た断面図、(b)は縦断面図である。
【図８】シースの端部を長く剥離した平形ケーブルを端末カバーに挿入した状態を示し、(a)は上面部を外して上方から見た断面図、(b)は縦断面図である。
【図９】従来の平形ケーブル用端末カバーの断面図である。
【発明を実施するための形態】
【００１３】
以下、本発明の実施形態の平形ケーブル用端末カバーを図に基づいて説明する。
本実施形態の平形ケーブル用端末カバー（以下、単に「端末カバー」という。）は、複数条の線心が並列となるように内部に収められシースにより覆われた平形ケーブルの端末を絶縁処理するものであって、一端に平形ケーブルの端部を受け入れ可能な開口が形成され他端が底板部で封じられた筒状を成している。そして、端末カバーは、開口側に、シースにより覆われた平形ケーブルを受け入れるシース状態受入れ部が設けられ、その奥方に、複数条の線心の端部を個別に受け入れる複数の線心受入れ部が設けられている。
【００１４】
本実施形態では、３条の線心が収められた３心の平形ケーブルを例示する。また、本実施形態の端末カバーは、シース状態受入れ部及び３つの線心受入れ部からなる平形ケーブル受け部が上下２段に各１つずつ設けられ、２本の平形ケーブルが上下段に収容可能なものを例示する。以下、各構成部材について詳細に説明する。
【００１５】
平形ケーブル３０は、図４に示すように、導体３２を絶縁体３３で被覆して成る線心３１を３条並列に配置してその外側をクロロプレンゴム、ビニル、ポリエチレン等の絶縁材料からなるシース３４で覆われている。
【００１６】
図１乃至図３において、端末カバー１は、断面略四角形の筒状を成し、絶縁性能を有し透明または透視可能な材料により形成され、一端に平形ケーブル３０の端部を受け入れ可能な開口１０が形成され、他端は底板部１１によって封じられている。端末カバー１は、透明または透視可能な材料により形成されているので、内部に収容された平形ケーブル３０の収容状態、配置状態を外部から視認できる。開口１０の周辺の上面部１２及び下面部１３は、開口１０に向かうに従って徐々に開口面積が拡大するような湾曲面に形成され、平形ケーブル３０を内部に挿入し易くなっている。
【００１７】
端末カバー１の内部は、高さ方向中央部に水平に設けられた仕切板１４で上下２部屋に区画されており、各部屋は、個別に平形ケーブル３０が受け入れられる平形ケーブル受け部１５を形成している。各平形ケーブル受け部１５は、開口１０側のシース状態受入れ部１６と奥方の線心受入れ部１７とから成り、両平形ケーブル受け部１５は、同一の開口方向及び軸方向に設けられている。両平形ケーブル受け部１５は、図３に示すように、仕切板１４を境に上下対称に形成されている。
【００１８】
図３(a)に示すように、シース状態受入れ部１６は、開口１０から後述する線心受入れ部１７の開口１０側先端までの部分であり、シース３４の端末が剥離されていない状態の平形ケーブル３０を受け入れる。シース状態受入れ部１６には、端末カバー１の上面部１２及び下面部１３が幅方向中央部で最も凹むように内部側に湾曲形成されてシース３４の外面３４ａに圧接するシース圧接部１８が設けられている。シース圧接部１８は、幅方向中央部における仕切板１４との間隔がシース３４の上下厚さより僅かに小さく形成され、仕切板１４とで上下方向からシース３４を挟圧してその外面３４ａを圧接する。シース圧接部１８は、線心受入れ部１７から開口１０周辺の湾曲面との境界までの部分、すなわち図３の長さＬ１の部分に、平形ケーブル３０の軸方向に沿って延びるように設けられており、シース圧接部１８と仕切板１４との間隔は平形ケーブル３０の軸方向全体に至って一定である。したがって、シース３４は、シース圧接部１８における軸方向のいずれの位置においても一定の力で押圧される。シース圧接部１８の軸方向の長さＬ１は、本実施形態においては、端末カバー１全体の軸方向の長さの約半分を占めている。
【００１９】
シース状態受入れ部１６の奥方に設けられた線心受入れ部１７は、仕切板１４上に２枚の区画片１９が間隔をおいて平形ケーブル受け部１５の奥側から開口１０側に向けて端末カバー１の軸方向に沿って上下方向に立設されている。区画片１９の高さは、線心３１の半径より長く形成され、区画片１９によって区画された空間は、線心受入れ部１７を構成し、各線心受入れ部１７の横幅は等間隔に設定されている。この区画片１９により、線心受入れ部１７は、図５に示すように、上下各段の平形ケーブル受け部１５にそれぞれ３つずつ水平方向に並設され、複数条の線心３１が二点鎖線で示すように各線心受入れ部１７内に個別に受け入れられるようになっている。
【００２０】
線心受入れ部１７とシース状態受入れ部１６との境界部分から奥方に所定距離入った位置から底板部１１までの間において、区画片１９の両側壁、天井である上面部１２の内壁及び端末カバー１の左右の側面部２０の内壁には、端末カバー１の軸方向に沿って仕切板１４と平行に延び、線心３１の外面３１ａに圧接する線心圧接部２１が設けられている。線心圧接部２１は、僅かに膨出する小突条からなり、各区画片１９には水平方向に膨出するように両側壁に１条ずつ、また上面部１２の内壁からは垂直下方に膨出するように３条、そして、両側面部２０の内壁には各１条設けられている。線心受入れ部１７に受け入れられた線心３１は、その周囲に配置されたこれら複数の線心圧接部２１が外面３１ａを圧接することにより抜け止め状態に保持されるようになっている。なお、各線心圧接部２１の開口１０側の先端部は、区画片１９、上面部１２及び両側面部２０の各壁面から徐々に高くなるよう傾斜しており、これにより、線心３１は線心受入れ部１７内に収容され易くなっている。
【００２１】
このように形成された平形ケーブル３０において、シース圧接部１８の軸方向の長さＬ１は、線心受入れ部１７の軸方向の長さＬ２より長く、その約１．５倍の大きさに形成されている。これにより、後述するように、シース３４の剥離長さＬ３がかなり大きくても、シース３４の端末は連続するシース圧接部１８内のいずれかの箇所に位置する。したがって、常にシース３４は、シース圧接部１８のいずれかの位置でシース圧接部１８により押圧され仕切板１４とで挟持されるので、平形ケーブル３０が端末カバー１から抜け外れるのが防止される。
【００２２】
次に、端末カバー１を使用した、平形ケーブル３０の端末の絶縁処理について説明する。
本実施形態の端末カバー１は、端末が剥離されないでシース３４に覆われた状態にある平形ケーブル３０の端末の絶縁処理を行なうことができ、また、シース３４が剥離されて線心３１が露出した状態にある平形ケーブル３０の端末を絶縁処理することもできる。
【００２３】
まず、端末が剥離されないで線心３１がシース３４に覆われた状態にある平形ケーブル３０の端末を絶縁処理する場合は、端末カバー１の開口１０から平形ケーブル３０をそのまま挿入し、図６に示すように、シース３４の先端が線心受入れ部１７の区画片１９における開口１０側の先端部に突き当たるまで押し込む。このとき、端末カバー１の上面部１２は幅方向中央部が軸方向の全体に至って湾曲状に凹んでいるので、端末カバー１を指で把持して押し込み易い。この状態においては、シース３４はシース状態受入れ部１６のシース圧接部１８と仕切板１４とで挟圧され、シース圧接部１８がシース３４の外面３４ａに圧接するので、シース３４は安定して保持され、平形ケーブル３０が抜け外れるのが防止される。なお、シース圧接部１８は、平形ケーブル３０の軸方向に沿って相当の長さに延びているので、平形ケーブル３０は、必ずしもシース３４の先端が線心受入れ部１７の区画片１９の開口１０側の先端部に突き当たるまで押し込む必要はなく、その途中まで押し込んだとしても、シース３４の外面３４ａにはシース圧接部１８が圧接し、平形ケーブル３０が端末カバー１から抜け外れるのが防止される。
【００２４】
次に、シース３４の端末が剥離されて線心３１の端部が露出した状態にある平形ケーブル３０の端末を絶縁処理する場合は、端末カバー１の開口１０から平形ケーブル３０をそのまま挿入し、図７に示すように、シース３４の先端が線心受入れ部１７の区画片１９における開口１０側の先端部の近傍に至るまで押し込む。これに伴って、シース３４が剥離されて所定長さＬ３だけ露出した３条の線心３１は、区画片１９によって区分けされつつ３つの線心受入れ部１７に１条ずつ挿入され収容される。なお、本実施形態における平形ケーブル３０は、図４に示すように、３条の線心３１同士が接した状態で並列に収められている一方で、各線心受入れ部１７は、隣合う線心受入れ部１７との間に区画片１９及び線心圧接部２１が介在するので、それらが介在する分、水平方向に離隔している。したがって、３条のうち左右両側の線心３１は、シース３４から露出した後、クランク状に曲げられてから線心受け入れ部１７内に挿入されることになる。この線心３１の曲げのため、シース３４の先端は、図７に示すように、線心受入れ部１７の区画片１９の開口１０側の先端部から僅かに開口１０側に後退した位置まで挿入されて停止することになる。
【００２５】
線心３１が収容された後は、複数の線心圧接部２１が線心３１の外面３１ａに圧接するので、線心３１は安定して一定位置に保持され、線心受入れ部１７から抜け外れるのが防止される。ここで、区画片１９で区画された各線心受入れ部１７は、１条分の線心３１が収容される大きさに形成されているから、平形ケーブル３０を端末カバー１内に押し込んでいけば、線心３１の先端部は自ずと各線心受入れ部１７に振り分けられて挿入される。このようにして、線心受入れ部１７に収容、保持された線心３１は、区画片１９により、内部の導体３２が隣合う線心３１の導体３２と接触するのが防止され、保管中などにおいて導体３２同士が短絡することはない。
【００２６】
なお、図７に示したものは、シース３４の剥離長さＬ３が線心受入れ部１７の軸方向の長さより短かい場合を示し、線心３１の先端と端末カバー１の底板部１１との間には空きスペースが生じている。また、この場合も、シース３４は、必ずしも先端が線心受入れ部１７の区画片１９の開口１０側の先端部の近傍に位置するまで押し込む必要はなく、線心３１が線心受入れ部１７内に挿入されている限りは、シース圧接部１８の途中まで押し込んだ状態でも、シース３４の外面３４ａにはシース圧接部１８が圧接するので平形ケーブル３０が抜け外れることはないとともに、線心３１同士が短絡することもない。
【００２７】
次に、シース３４の剥離量が大きく露出する線心３１の長さＬ３が線心受入れ部１７の軸方向の長さＬ２より大きい場合は、図８に示すように、線心３１の先端は線心受入れ部１７の底板部１１に突き当たり、反対のシース３４側端部は、一部がシース状態受入れ部１６の内部にまではみ出る。図８に示したものの場合、シース３４の先端は、線心受入れ部１７の区画片１９の開口１０側の先端部から開口１０側に所定距離後退するものの、シース圧接部部１８の軸方向の長さＬ１は、線心受入れ部１７の軸方向の長さＬ２より長く形成されているから、シース３４の剥離量が通常行なわれる程度の剥離長さであれば、シース３４の大部分は、シース圧接部１８内に収容、保持される。このため、平形ケーブル３０が端末カバー１から抜け外れることはない。
【００２８】
なお、シース３４の剥離や端末カバー１内への収容などの作業等において、線心３１から導体３２のみが僅かに突き出ても、導体３２は線心受入れ部１７内にあって、隣合う導体３２との間が区画片１９によって遮断されているので、導体３２同士が短絡することはない。
【００２９】
次に、本実施形態の端末カバー１の作用を説明する。
端末カバー１は、平形ケーブル受け部１５に、シース圧接部１８を有するシース状態受入れ部１６と複数の線心受入れ部１７とが設けられているので、シース３４が剥離されておらず線心３１がシース３４によって覆われた状態にある平形ケーブル３０の場合は、シース状態受入れ部１６により、端末を絶縁処理できるし、シース３４が剥離されて線心３１が露出した状態にある平形ケーブル３０の場合は、３つの線心受入れ部１７により各線心３１を受け入れ、シース状態受入れ部１６によりシース３４を受け入れて、端末を絶縁処理できる。
【００３０】
そして、シース状態受入れ部１６にシース圧接部１８が設けられていることにより、従来のように、シース３４の外面３４ａと端末カバー１の外面とに跨って両者の外面同士をテープで巻き付けたりする必要はなく、上記いずれの平形ケーブル３０である場合も、単に平形ケーブル３０を端末カバー１の開口１０から差し込むだけで、シース圧接部１８と仕切板１４とがシース３４を挟圧し、平形ケーブル３０の端末を抜け止め状態に保持することができる。
【００３１】
ここで、シース圧接部１８と仕切板１４との間隔は、平形ケーブル３０の軸方向全体に至って一定に形成されている。このため、シース３４は、シース圧接部１８における軸方向のいずれの位置においても一定の力で押圧されるから、シース３４の端末がシース圧接部１８における軸方向のいずれの位置にあってもシース３４は常に所定の保持力で安定して保持される。
【００３２】
加えて、シース圧接部１８は、平形ケーブル３０の軸方向に沿って延びており、また、シース圧接部１８の軸方向の長さＬ１すなわちシース状態受入れ部１６のうち線心受入れ部１７から開口１０周辺の湾曲面との境界までの長さは、線心受入れ部１７の軸方向の長さＬ２より長いので、シース３４の剥離量が大きくても、シース３４の端末は連続するシース圧接部１８内のいずれかの箇所に位置する。これにより、シース３４が圧接されて平形ケーブル３０が端末カバー１から抜け外れるのが防止される。
【００３３】
また、線心３１の外面３１ａに圧接する線心圧接部２１が設けられているので、線心３１は、外面３１ａの複数箇所を線心圧接部２１によって押圧され、安定して保持される。
【００３４】
そして、平形ケーブル受け部１５は、同一の開口方向及び軸方向として上下２段に設けられているので、２本の平形ケーブル３０を同一方向を向いた姿勢で整然と端末カバー１内に収容することができる。
【００３５】
ところで、上記実施形態のシース圧接部１８の軸方向の長さＬ１は、線心受入れ部１７の軸方向の長さＬ２の約１．５倍に形成されているが、この比率の長さに限定されるものではない。シース圧接部１８は、通常想定される範囲においてシース３４が最大に剥離されたときでも、最低限、シース３４と圧接しこれを保持し得る長さに設定すればよい。
【００３６】
更に、上記実施形態のシース圧接部１８は、仕切板１４との間隔が平形ケーブル３０の軸方向全体に至って一定であるから、シース３４は、シース圧接部１８における軸方向のいずれの位置においても一定の力で押圧されて望ましいのであるが、シース圧接部１８が、シース３４の外面３４ａに圧接してこれを安定して保持できるものであれば、必ずしもシース圧接部１８と仕切板１４との間隔は平形ケーブル３０の軸方向全体に至って一定でなくてもよい。
【００３７】
また、上記実施形態のシース圧接部１８は、軸方向の長さＬ１の全長に至り軸方向に沿って連続して延びているが、本発明を実施する場合には、これに限られるものではない。例えば、シース圧接部１８は、線心受入れ部１７から開口１０側に線心受入れ部１７の軸方向の長さＬ２より大きく離間した位置である、開口１０周辺の湾曲面との境界位置の一点のみに設けてもよい。あるいは、シース圧接部１８は、その一点の位置のみでなく、この位置から奥方すなわち線心受入れ部１７側に所定距離軸方向に沿って延びたものに形成してもよい。また、シース圧接部１８は、開口１０側の前記一点の位置に加え、この一点の位置から奥方に向かう間の複数の位置に断続的に形成してもよい。これらの場合、シース３４に対するシース圧接部１８の圧接長さが短かくなる分、シース３４の保持力は小さくなるが、シース３４をシース状態受入れ部１６内に押し込むために要する力は小さくなる。
【００３８】
また、シース圧接部１８は、上面部１２が湾曲状に凹み形成され、幅方向中央部が最も内部空間側に膨出する形状に形成されているが、この形状に限られるものではなく、例えば、仕切板１４から上面部１２までの高さが幅方向全体に至って一定である平面状のものとしてもよい。
【００３９】
更に、平形ケーブル３０が幅広のものでシース３４の側面が端末カバー１の側面部２０の内壁の近傍に位置しあるいは内壁に接するものである場合は、線心受入れ部１７に設けられた線心圧接部２１と同様の内部空間側に膨出する突条を、シース状態受入れ部１６の側面部２０の内壁に設けてもよい。この場合、シース状態受入れ部１６において更に強固に安定して平形ケーブル３０を保持することができる。
【００４０】
そして、端末カバー１は、絶縁性能を有する透明または透視可能な材料により形成されているが、透視不能または困難な材料で形成するのを妨げるものでもない。
【００４１】
加えて、上記実施形態の平形ケーブル受け部１５は、端末カバー１内に上下２段に各１つずつ設けられ、端末カバー１は、計２本の平形ケーブル３０を収容可能であり、それらの端末を絶縁しているが、端末カバー１内に１つのみ設けてもよく、あるいは、３つ以上設けてもよい。
【００４２】
また、上記実施形態では、平形ケーブル３０は、３条の線心３１が並列して収められた３心のものを例示しているが、本発明の端末カバー１は、２心あるいは４心の平形ケーブル３０の端末処理にも適用することができる。なお、２心の平形ケーブル３０の場合、上記実施形態の３心の平形ケーブル３０用の端末カバー１をこの２心の平形ケーブル３０の端末処理に兼用することもできる。この場合、シース３４が剥離されて露出した２条の線心３１は、平形ケーブル３０を押し込むことにより、自ずと、３つある線心受入れ部１７のうちのいずれか２つに振り分けられて収容される。
【００４３】
更に、上記実施形態の端末カバー１は、断面略四角形の筒状に形成されているが、六角筒状、八角筒状、円筒状、楕円筒状などに形成してもよく、その形状は問わない。
【符号の説明】
【００４４】
１  端末カバー                     ２１  線心圧接部
１０  開口                           ３０  平形ケーブル
１１  底板部                         ３１  線心
１５  平形ケーブル受け部             ３１ａ、３４ａ  外面
１６  シース状態受入れ部             ３４  シース
１７  線心受入れ部                   Ｌ１  シース圧接部の軸方向の長さ
１８  シース圧接部                   Ｌ２  線心受入れ部の軸方向の長さ
【図１】
2020021675.tif 000003
【図２】
2020021675.tif 000004
【図３】
2020021675.tif 000005
【図４】
2020021675.tif 000006
【図５】
2020021675.tif 000007
【図６】
2020021675.tif 000008
【図７】
2020021675.tif 000009
【図８】
2020021675.tif 000010
【図９】
2020021675.tif 000011